(57)【要約】  ユーザ装置は、基地局装置と通信を行い、初期アクセスに使用する情報を前記基地局装置から受信する受信部と、前記初期アクセスに使用する情報に含まれるインデックスに基づいて、複数のプリアンブルフォーマットを決定し、前記初期アクセスに使用する情報に基づいて、１又は複数のリソースを決定する制御部と、前記プリアンブルフォーマット及び前記リソースを用いてプリアンブルを前記基地局装置に送信する送信部とを有する。
2019030873.tif 000002
【特許請求の範囲】
【請求項１】
基地局装置と通信を行うユーザ装置であって、
初期アクセスに使用する情報を前記基地局装置から受信する受信部と、
前記初期アクセスに使用する情報に含まれるインデックスに基づいて、複数のプリアンブルフォーマットを決定し、前記初期アクセスに使用する情報に基づいて、１又は複数のリソースを決定する制御部と、
前記プリアンブルフォーマット及び前記リソースを用いてプリアンブルを前記基地局装置に送信する送信部とを有するユーザ装置。
【請求項２】
前記１又は複数のリソースそれぞれに、前記プリアンブルフォーマットが指定される請求項１記載のユーザ装置。
【請求項３】
前記１又は複数のリソースのうち、時間軸で最後のリソースに指定される前記プリアンブルフォーマットは、ガードピリオドを有する請求項１又は２記載のユーザ装置。
【請求項４】
前記通信に使用される無線信号のサブキャリア間隔又は周波数帯に基づいて、前記リソースに前記プリアンブルフォーマットが指定される請求項１乃至３いずれか一項記載のユーザ装置。
【請求項５】
前記複数のリソースは、前記基地局装置が送信する複数のビームのうちのひとつのビームに関連付けられ、前記ひとつのビームのパスロス値に基づいて、前記複数のリソースからプリアンブルを送信するリソースが決定される請求項１乃至４いずれか一項記載のユーザ装置。
【請求項６】
ユーザ装置と通信を行う基地局装置であって、
初期アクセスに使用する情報を前記ユーザ装置に送信する送信部と、
複数のプリアンブルフォーマットを示すインデックスを前記初期アクセスに使用する情報に設定し、１又は複数のリソースを示す情報を前記初期アクセスに使用する情報に設定する設定部と、
前記プリアンブルフォーマット及びリソースを用いてプリアンブルを前記ユーザ装置から受信する受信部とを有する基地局装置。
【発明の詳細な説明】
【技術分野】
【０００１】
本発明は、無線通信システムにおけるユーザ装置及び基地局装置に関する。
【背景技術】
【０００２】
３ＧＰＰ（3rd Generation Partnership Project）では、システム容量の更なる大容量化、データ伝送速度の更なる高速化、無線区間における更なる低遅延化等を実現するために、５ＧあるいはＮＲ（New Radio）と呼ばれる無線通信方式（以下、当該無線通信方式を「ＮＲ」という。）の検討が進んでいる。ＮＲでは、１０Ｇｂｐｓ以上のスループットを実現しつつ無線区間の遅延を１ｍｓ以下にするという要求条件を満たすために、様々な無線技術の検討が行われている。【０００３】
ＮＲでは、ユーザ装置と基地局装置とが接続を確立する際の初期アクセスにおいて、基地局装置から送信される同期信号によるセル検出及びセル同定、及び初期アクセスに必要なシステム情報の一部の取得が、ユーザ装置によって行われる（例えば非特許文献１）。【０００４】
また、ＮＲでは、ＬＴＥ（Long Term Evolution）と同様の低い周波数帯から、ＬＴＥよりも更に高い周波数帯までの幅広い周波数を使用することが想定されている。特に、高周波数帯では伝搬ロスが増大することから、当該伝搬ロスを補うために、ビーム幅の狭いビームフォーミングを適用することが検討されている（例えば非特許文献２）。
【先行技術文献】
【非特許文献】
【０００５】
【非特許文献１】３ＧＰＰ  ＴＳ  ３６．２１３  Ｖ１４．３．０  （２０１７−０６）
【非特許文献２】３ＧＰＰ  ＴＳ  ３６．２１１  Ｖ１４．３．０  （２０１７−０６）
【発明の概要】
【発明が解決しようとする課題】
【０００６】
ＮＲにおいて、初期アクセスに必要な同期信号及びシステム情報の一部は、連続したＯＦＤＭ（Orthogonal Frequency Division Multiplexing）シンボルから構成されるＳＳ  ｂｌｏｃｋ（Synchronization Signal block）と呼ばれるリソースユニットで、無線フレームにマッピングされる。ユーザ装置は、基地局装置から送信されるＳＳ  ｂｌｏｃｋを受信して初期アクセスに必要な情報を取得する。初期アクセスに必要な情報には、プリアンブルフォーマット及びＲＡＣＨ（Random Access Channel）リソースを特定する情報が含まれる。【０００７】
また、ＮＲにおいては、多くの周波数帯及び最大セル半径等のユースケースに応じた多数のプリアンブルフォーマットが検討されている。そのため、使用するプリアンブルフォーマット及びＲＡＣＨリソースを特定する、初期アクセスに必要な情報の通知に係るオーバーヘッドが増大する可能性がある。【０００８】
本発明は上記の点に鑑みてなされたものであり、無線通信システムにおいて、初期アクセスに必要な情報の通知に係るオーバーヘッドを低減することで、ユーザ装置と基地局装置との間で効率の良い初期アクセスを実現する技術を提供することを目的とする。
【課題を解決するための手段】
【０００９】
開示の技術によれば、基地局装置と通信を行い、初期アクセスに使用する情報を前記基地局装置から受信する受信部と、前記初期アクセスに使用する情報に含まれるインデックスに基づいて、複数のプリアンブルフォーマットを決定し、前記初期アクセスに使用する情報に基づいて、１又は複数のリソースを決定する制御部と、前記プリアンブルフォーマット及び前記リソースを用いてプリアンブルを前記基地局装置に送信する送信部とを有するユーザ装置が提供される。
【発明の効果】
【００１０】
開示の技術によれば、無線通信システムにおいて、初期アクセスに必要な情報の通知に係るオーバーヘッドを低減することで、ユーザ装置と基地局装置との間で効率の良い初期アクセスを実現することができる。
【図面の簡単な説明】
【００１１】
【図１】本発明の実施の形態における無線通信システムの構成例を示す図である。
【図２】本発明の実施の形態における初期アクセスのシーケンスの一例を示す図である。
【図３】本発明の実施の形態におけるＰＲＡＣＨプリアンブルフォーマットの一例を示す図である。
【図４】本発明の実施の形態におけるＲＡＣＨリソースの一例を示す図である。
【図５】本発明の実施の形態におけるＳＳ  ｂｌｏｃｋに関連付けられたＲＡＣＨリソースの一例を示す図である。
【図６】本発明の実施の形態におけるＳＳ  ｂｌｏｃｋに関連付けられた複数のＲＡＣＨリソースの一例を示す図である。
【図７】基地局装置１００の機能構成の一例を示す図である。
【図８】ユーザ装置２００の機能構成の一例を示す図である。
【図９】基地局装置１００及びユーザ装置２００のハードウェア構成の一例を示す図である。
【発明を実施するための形態】
【００１２】
以下、図面を参照して本発明の実施の形態を説明する。なお、以下で説明する実施の形態は一例であり、本発明が適用される実施の形態は、以下の実施の形態に限られない。
【００１３】
本実施の形態の無線通信システムの動作にあたっては、適宜、既存技術が使用される。ただし、当該既存技術は、例えば既存のＬＴＥであるが、既存のＬＴＥに限られない。また、本明細書で使用する用語「ＬＴＥ」は、特に断らない限り、ＬＴＥ−Ａｄｖａｎｃｅｄ、及び、ＬＴＥ−Ａｄｖａｎｃｅｄ以降の方式（例：ＮＲ）を含む広い意味を有するものとする。
【００１４】
また、以下で説明する実施の形態では、既存のＬＴＥで使用されているＳＳ（Synchronization Signal）、ＰＳＳ（Primary SS）、ＳＳＳ（Secondary SS）、ＰＢＣＨ（Physical broadcast channel）等の用語を使用しているが、これは記載の便宜上のためであり、これらと同様の信号、機能等が他の名称で呼ばれてもよい。また、ＮＲにおける上述の用語を、ＮＲ−ＳＳ、ＮＲ−ＰＳＳ、ＮＲ−ＳＳＳ、ＮＲ−ＰＢＣＨ等と表記する。
【００１５】
＜システム構成＞
図１は、本発明の実施の形態における無線通信システムの構成例を示す図である。本発明の実施の形態における無線通信システムは、図１に示されるように、基地局装置１００及びユーザ装置２００を含む。図１には、基地局装置１００及びユーザ装置２００が１つずつ示されているが、これは例であり、それぞれ複数であってもよい。
【００１６】
基地局装置１００は、１つ以上のセルを提供し、ユーザ装置２００と無線通信を行う通信装置である。図１に示されるように、基地局装置１００は、同期信号及びシステム情報をユーザ装置２００に送信する。同期信号は、例えば、ＮＲ−ＰＳＳ及びＮＲ−ＳＳＳである。システム情報は、例えば、ＮＲ−ＰＢＣＨにて送信される。基地局装置１００及びユーザ装置２００とはいずれも、ビームフォーミングを行って信号の送受信を行うことが可能である。ユーザ装置２００は、スマートフォン、携帯電話機、タブレット、ウェアラブル端末、Ｍ２Ｍ（Machine-to-Machine）用通信モジュール等の無線通信機能を備えた通信装置であり、基地局装置１００に無線接続し、無線通信システムにより提供される各種通信サービスを利用する。初期アクセスの段階において、図１に示されるように、ユーザ装置２００は、ランダムアクセスのプリアンブル信号を基地局装置１００に送信する。当該ランダムアクセスは、基地局装置１００から受信したＮＲ−ＰＢＣＨによるシステム情報に加え、ＮＲ−ＰＤＳＣＨ（Physical downlink shared channel）によるシステム情報に基づいて行われる。
【００１７】
なお、本実施の形態において、複信（Duplex）方式は、ＴＤＤ（Time Division Duplex）方式でもよいし、ＦＤＤ（Frequency Division Duplex）方式でもよいし、又はそれ以外（例えば、Flexible Duplex等）の方式でもよい。
【００１８】
また、以下の説明において、送信ビームを用いて信号を送信することは、プリコーディングベクトルが乗算された（プリコーディングベクトルでプリコードされた）信号を送信することとしてもよい。同様に、受信ビームを用いて信号を受信することは、所定の重みベクトルを受信した信号に乗算することとしてもよい。また、送信ビームを用いて信号を送信することは、特定のアンテナポートで信号を送信することと表現されてもよい。同様に、受信ビームを用いて信号を受信することは、特定のアンテナポートで信号を受信することと表現されてもよい。アンテナポートとは、３ＧＰＰの規格で定義されている論理アンテナポート又は物理アンテナポートを指す。なお、送信ビーム及び受信ビームの形成方法は、上記の方法に限られない。例えば、複数アンテナを備える基地局装置１００及びユーザ装置２００において、それぞれのアンテナの角度を変える方法を用いてもよいし、プリコーディングベクトルを用いる方法とアンテナの角度を変える方法を組み合わせる方法を用いてもよいし、異なるアンテナパネルを切り替えて利用したり複数のパネルを合わせて使う方法を組み合わせる方法を用いてもよいし、その他の方法を用いてもよい。また、例えば、高周波数帯において、複数の互いに異なる送信ビームが使用されてもよい。複数の送信ビームが使用されることを、マルチビーム運用といい、ひとつの送信ビームが使用されることを、シングルビーム運用という。
【００１９】
（実施例１）
以下、実施例１について説明する。
【００２０】
図２は、本発明の実施の形態における初期アクセスのシーケンスの一例を示す図である。初期アクセスが開始されると、ステップＳ１において、基地局装置１００は、ＮＲ−ＰＳＳ、ＮＲ−ＳＳＳ及びＮＲ−ＰＢＣＨ、すなわちＳＳ  ｂｌｏｃｋを、ユーザ装置２００に送信する。ＮＲ−ＰＢＣＨには、システム情報の一部が含まれる。基地局装置１００は、複数のＳＳ  ｂｌｏｃｋで構成されるＳＳ  ｂｕｒｓｔ  ｓｅｔをＳＳ  ｂｕｒｓｔ  ｓｅｔ  ｐｅｒｉｏｄｉｃｉｔｙの周期で繰り返してユーザ装置２００に送信する。ＳＳ  ｂｕｒｓｔ  ｓｅｔに複数のＳＳ  ｂｌｏｃｋが含まれる場合、当該複数のＳＳ  ｂｌｏｃｋは、マルチビーム運用環境において、それぞれ異なるビームに関連付けられてもよい。
【００２１】
一方、ユーザ装置２００は、基地局装置１００から送信されるＮＲ−ＰＳＳを受信して、初期の時間及び周波数同期及びセルＩＤ（identity）の一部の特定に少なくとも使用する。また、ユーザ装置２００は、基地局装置１００から送信されるＮＲ−ＳＳＳを受信して、少なくともセルＩＤの一部の特定に使用する。また、ユーザ装置２００は、基地局装置１００から送信されるＮＲ−ＰＢＣＨを受信して、初期アクセスに必要なシステム情報の一部、例えば、システムフレーム番号（ＳＦＮ：System Frame Number）及び他のシステム情報を取得するための情報等を取得する。当該他のシステム情報は、ＮＲ−ＰＤＳＣＨを介して受信されてもよく、ランダムアクセス手順を実行するためのリソース、すなわち、プリアンブルフォーマット及びＲＡＣＨリソース等を特定する情報が含まれる。また、ＳＳ  ｂｕｒｓｔ  ｓｅｔに複数のＳＳ  ｂｌｏｃｋが含まれる場合、ユーザ装置２００は、あるＳＳ  ｂｌｏｃｋを取得すると、当該ＳＳ  ｂｌｏｃｋに関連付けられるビームに対応するリソースで、プリアンブルを送信しランダムアクセス手順を開始する（Ｓ２）。
【００２２】
ステップＳ２において、基地局装置１００とユーザ装置２００との間でランダムアクセス手順が成功すると、初期アクセスは完了し、通常の通信が開始される（Ｓ３）。
【００２３】
図３は、本発明の実施の形態におけるＰＲＡＣＨプリアンブルフォーマットの一例を示す図である。図３における時間の単位Ｔｓ（Basic time unit）は、１／３０．７２ＭＨｚ＝約０．０３２５５マイクロ秒と定義される。また、図３に示されるＰＲＡＣＨ（Physical RACH）プリアンブルフォーマットの例は、シーケンス長ＮＺＣが１３９又は１２７であり、サブキャリア間隔が１５ｋＨｚのときに適用される。サブキャリア間隔によってＰＲＡＣＨプリアンブルフォーマットはスケーリングされ、Ｔｓは、下記のように定義される。
３０ｋＨｚの場合、Ｔｓ＝１／（２＊３０．７２）ＭＨｚ
６０ｋＨｚの場合、Ｔｓ＝１／（４＊３０．７２）ＭＨｚ
１２０ｋＨｚの場合、Ｔｓ＝１／（８＊３０．７２）ＭＨｚ
図３に示される「＃  ｏｆ  Ｓｅｑｕｅｎｃｅ」は、ＰＲＡＣＨプリアンブルに含まれるシーケンス繰り返し数である。「ＴＣＰ」は、ＣＰ（Cyclic Prefix）長をＴｓ単位で示したものである。「ＴＳＥＱ」は、時間軸におけるシーケンス長をＴｓ単位で示したものである。「ＴＧＰ」は、ＧＰ（Guard Period）長をＴｓ単位で示したものである。「Ｐａｔｈ  ｐｒｏｆｉｌｅ」は、パスの遅延プロファイルをＴｓ単位又はｕｓ単位で示したものである。「Ｍａｘｉｍｕｍ  Ｃｅｌｌ  ｒａｄｉｕｓ」は、対応する最大セル半径である。「Ｕｓｅ  ｃａｓｅ」は、当該ＰＲＡＣＨプリアンブルフォーマットが使用される状況を示しており、「ＴＡ（Timing Alignment）が既知又はベリースモールセル」、「スモールセル」、「通常のセル」のいずれかである。また、ＰＲＡＣＨプリアンブルフォーマットは、プリアンブルを送信するＰＲＡＣＨと同一のサブキャリア間隔であるデータのＯＦＤＭシンボル境界に合わせた時間長を有するフォーマットと、当該ＯＦＤＭシンボル境界に合わせた時間長になっていないフォーマットが存在する。
【００２４】
以下、ＰＲＡＣＨプリアンブルフォーマットをプリアンブルフォーマットという。図３に示されるように、プリアンブルフォーマットは、例えばＡ０、Ａ１、Ａ２、Ａ３、Ｂ０、Ｂ１、Ｂ２、Ｂ３、Ｂ４、Ｃ０及びＣ１の１１種、もしくはそのうち一部が定義される可能性がある。以下、プリアンブルフォーマットＡ０、Ａ１、Ａ２、Ａ３を区別しない場合、プリアンブルフォーマットＡという。また、以下、プリアンブルフォーマットＢ０、Ｂ１、Ｂ２、Ｂ３、Ｂ４を区別しない場合、プリアンブルフォーマットＢという。また、以下、プリアンブルフォーマットＣ０、Ｃ１を区別しない場合、プリアンブルフォーマットＣという。
【００２５】
プリアンブルフォーマットＡは、ＴＧＰが０である。プリアンブルフォーマットＢ１、Ｂ２、Ｂ３及びＢ４は、ＧＰが付与されている。プリアンブルフォーマットＣは、他のプリアンブルフォーマットより大きなＴＣＰが付与されており、最大セル半径が大きくなっている。
【００２６】
ユーザ装置２００は、ランダムアクセス手順の開始時に、いずれのプリアンブルフォーマットを使用するかを基地局装置１００から送信されるシステム情報に基づいて特定する。
【００２７】
プリアンブルフォーマットの使用状況の例として、例えば、プリアンブルフォーマットＡ０、Ａ１、Ａ２及びＡ３は、ＧＰが付与されていないため、後続シンボルがＲＡＣＨリソースもしくは未使用リソースとなる場合、あるいは後続のデータシンボルに付与されているＣＰ等でカバーできるセル半径である場合に、使用が限られる。また、他の使用状況の例として、例えば６０ｋＨｚ又は１２０ｋＨｚ等のようにサブキャリア間隔が大きく、かつシーケンス繰り返し数が小さい場合に、プリアンブルフォーマットＡ又はプリアンブルフォーマットＢでは、ＣＰ及びＧＰから算定される最大セル半径が小さくなりすぎてしまうとき、プリアンブルフォーマットＣは、大きなＴＣＰを付与されているため、算定される最大セル半径が比較的大きなものとなり、有効であると考えられる。
【００２８】
上述のように、特定のプリアンブルフォーマットの使用状況が限定される場合が想定されるため、各プリアンブルフォーマットのすべてに、例えば、ＬＴＥにおけるＰＲＡＣＨ  Ｃｏｎｆｉｇｕｒａｔｉｏｎ  Ｉｎｄｅｘに対応するようなＰＲＡＣＨ  ｐｒｅａｍｂｌｅ  ｆｏｒｍａｔ  ｉｎｄｅｘ（以下、「プリアンブルインデックス」という。）を割り振って基地局装置１００からユーザ装置２００に通知した場合、シグナリングのオーバーヘッドが大きくなる。
【００２９】
またＮＲにおいては、例えば、ＲＡＣＨリソースが、スロット内で繰り返される場合が想定されるため、各々のＲＡＣＨリソースについて個別にインデックスを通知すると、さらにオーバーヘッドが大きくなる。
【００３０】
図４は、本発明の実施の形態におけるＲＡＣＨリソースの一例を示す図である。図４に示されるように、ＮＲの無線フレームにおける１スロットは、１４データシンボルを含み、各データシンボルの先頭にはＣＰが付加されている。図４は、スロットのデータシンボルの境界に合わせて、ＲＡＣＨリソース１の配置が開始され、連続してＲＡＣＨリソース２及びＲＡＣＨリソース３が配置され、スロット中に３つのＲＡＣＨリソースが配置される場合を示している。ＲＡＣＨリソース１は、スロットの３シンボル目から配置されており、スロットの先頭から２シンボルは、例えば、下り制御情報に使用されている。図４に示される例では、各ＲＡＣＨリソースの先頭にはＣＰが配置されており、ＲＡＣＨリソース３の末尾には、ＧＰが配置されている。
【００３１】
ここで、ユーザ装置２００に通知されるプリアンブルインデックスについて、プリアンブルフォーマットＡとプリアンブルフォーマットＢとを特定する共通のプリアンブルインデックスひとつが通知される。例えば、プリアンブルフォーマットＡ２及びプリアンブルフォーマットＢ２が指定される場合、プリアンブルインデックス「２」がユーザ装置２００に通知される。
【００３２】
例えば、ユーザ装置２００が、ＲＡＣＨリソースが３回繰り返されることを通知されていた場合、図４に示されるように、繰り返される最後のＲＡＣＨリソース、すなわち３回目のＲＡＣＨリソースに、プリアンブルフォーマットＢ２が指定され、１回目及び２回目のＲＡＣＨリソースに、プリアンブルフォーマットＡ２が指定される。すなわち、プリアンブルインデックス「２」と「ＲＡＣＨリソースが３回繰り返すこと」とが通知された場合、ＲＡＣＨリソース１にプリアンブルフォーマットＡ２、ＲＡＣＨリソース２にプリアンブルフォーマットＡ２、ＲＡＣＨリソース３にプリアンブルフォーマットＢ２が指定されることが暗黙的に通知されてもよい。なお、ＲＡＣＨリソースの繰り返しは、必ずしも１スロット内で完了されなくてもよく、複数スロットにわたってＲＡＣＨリソースが繰り返されて配置されてもよい。
【００３３】
また、上記と同様に、プリアンブルインデックス「２」がユーザ装置２００に通知されたとき、ＲＡＣＨリソースの繰り返し回数にかかわらず、スロットの最後尾に配置されるＲＡＣＨリソースでは、プリアンブルフォーマットＢ２が指定され、最後尾のＲＡＣＨリソース以外のＲＡＣＨリソースでは、プリアンブルフォーマットＡ２が指定されてもよい。
【００３４】
なお、プリアンブルインデックス「１」をユーザ装置２００に通知することで、上記のプリアンブルインデックス「２」の場合と同様に、プリアンブルフォーマットＡ１及びプリアンブルフォーマットＢ１が指定されてもよい。同様に、プリアンブルインデックス「３」をユーザ装置２００に通知することで、プリアンブルフォーマットＡ３及びプリアンブルフォーマットＢ３が指定されてもよい。同様に、プリアンブルインデックス「４」をユーザ装置２００に通知することで、プリアンブルフォーマットＡ４及びプリアンブルフォーマットＢ４が指定されてもよい。
【００３５】
その他のプリアンブルフォーマットの組み合わせが、ひとつのプリアンブルインデックスに関連付けられてユーザ装置２００に通知されてもよい。
【００３６】
なお、ＲＡＣＨリソースは、プリアンブルインデックスに基づいて指定されてもよいし、他のシステム情報等に基づいて指定されてもよい。
【００３７】
上述の実施例１において、複数のプリアンブルフォーマットを共通して指定するプリアンブルインデックスの通知により、個別にプリアンブルインデックスを通知する場合と比較して、シグナリングのオーバーヘッドを低減させることができる。また、ＲＡＣＨリソースが繰り返される場合、最後のＲＡＣＨリソースにプリアンブルフォーマットＢが指定されるため、連続するＲＡＣＨリソースの最後にＧＰが設けられる。したがって、ＧＰがないプリアンブルフォーマットを使用する場合のプリアンブルの末尾にＧＰを確保する処理が不要となる。
【００３８】
すなわち、無線通信システムにおいて、初期アクセスに必要な情報の通知に係るオーバーヘッドを低減することで、ユーザ装置と基地局装置との間で効率の良い初期アクセスを実現することができる。
【００３９】
（実施例２）
以下、実施例２について説明する。実施例２では実施例１と異なる点について説明する。したがって、特に言及されない点については、実施例１と同様であってよい。
【００４０】
ユーザ装置２００に通知されるプリアンブルインデックスについて、プリアンブルフォーマットＡとプリアンブルフォーマットＣとを特定する共通のプリアンブルインデックスひとつが通知される。例えば、プリアンブルフォーマットＡ０及びプリアンブルフォーマットＣ０が指定される場合、プリアンブルインデックス「０」がユーザ装置２００に通知されてもよい。
【００４１】
上記のプリアンブルインデックス「０」が通知されたとき、ＲＡＣＨリソースに、プリアンブルに適用されるサブキャリア間隔に応じて、使用するプリアンブルフォーマットが指定されてもよい。例えば、サブキャリア間隔が、６０ｋＨｚ又は１２０ｋＨｚであった場合、プリアンブルフォーマットＣ０が指定され、１５ｋＨｚ又は３０ｋＨｚであった場合、プリアンブルフォーマットＡ０が指定される。
【００４２】
また、上記のプリアンブルインデックス「０」が通知されたとき、ＲＡＣＨリソースに、周波数帯に応じて、使用するプリアンブルフォーマットが指定されてもよい。例えば、６ＧＨｚ以上の周波数帯におけるＲＡＣＨリソースである場合、プリアンブルフォーマットＣ０が指定され、６ＧＨｚ未満の周波数帯におけるＲＡＣＨリソースである場合、プリアンブルフォーマットＡ０が指定される。
【００４３】
上記のプリアンブルフォーマットＡ及びプリアンブルフォーマットＣの組み合わせと同様に、プリアンブルフォーマットＢとプリアンブルフォーマットＣとを特定する共通のプリアンブルインデックスひとつが通知されてもよい。例えば、プリアンブルフォーマットＢ１及びプリアンブルフォーマットＣ１が指定される場合、プリアンブルインデックス「１」がユーザ装置２００に通知されてもよい。
【００４４】
上記のプリアンブルインデックス「１」が通知されたとき、ＲＡＣＨリソースに、プリアンブルに適用されるサブキャリア間隔に応じて、使用するプリアンブルフォーマットが指定されてもよい。例えば、サブキャリア間隔が、６０ｋＨｚ又は１２０ｋＨｚであった場合、プリアンブルフォーマットＣ１が指定され、１５ｋＨｚ又は３０ｋＨｚであった場合、プリアンブルフォーマットＢ１が指定される。
【００４５】
また、上記のプリアンブルインデックス「１」が通知されたとき、ＲＡＣＨリソースに、周波数帯に応じて、使用するプリアンブルフォーマットが指定されてもよい。例えば、６ＧＨｚ以上の周波数帯におけるＲＡＣＨリソースである場合、プリアンブルフォーマットＣ１が指定され、６ＧＨｚ未満の周波数帯におけるＲＡＣＨリソースである場合、プリアンブルフォーマットＢ１が指定される。
【００４６】
なお、実施例１におけるプリアンブルフォーマットＡ及びプリアンブルフォーマットＢの組み合わせをプリアンブルインデックスで通知された場合においても、上記のように、サブキャリア間隔又は周波数帯に応じて、プリアンブルフォーマットが選択されてもよい。
【００４７】
上述の実施例２において、複数のプリアンブルフォーマットを共通して指定するプリアンブルインデックスを通知することにより、個別にプリアンブルインデックスを通知する場合と比較して、シグナリングのオーバーヘッドを低減させることができる。また、サブキャリア間隔又は周波数帯に応じて、プリアンブルフォーマットが指定されることで、プリアンブルフォーマットＣが有する最大セル半径が大きい特性を適切に利用することができる。
【００４８】
すなわち、無線通信システムにおいて、初期アクセスに必要な情報の通知に係るオーバーヘッドを低減することで、ユーザ装置と基地局装置との間で効率の良い初期アクセスを実現することができる。
【００４９】
（実施例３）
以下、実施例３について説明する。実施例３では実施例１又は２と異なる点について説明する。したがって、特に言及されない点については、実施例１又は２と同様であってよい。
【００５０】
図５は、本発明の実施の形態におけるＳＳ  ｂｌｏｃｋに関連付けられたＲＡＣＨリソースの一例を示す図である。図５に示されるように、ＮＲにおいて、基地局装置１００からビームに関連付けられたＳＳ  ｂｌｏｃｋを含むＳＳ  ｂｕｒｓｔ  ｓｅｔが送信される場合がある。ユーザ装置２００は、検出可能なＳＳ  ｂｌｏｃｋを受信して、受信したＳＳ  ｂｌｏｃｋに関連付けられたＲＡＣＨリソースでプリアンブルを送信する。ＲＡＣＨリソースはビームに関連付けられていてもよい。
【００５１】
図５に示される例では、ＳＳ  ｂｕｒｓｔ  ｓｅｔに含まれる４番目のＳＳ  ｂｌｏｃｋをユーザ装置２００は受信し、４番目のＳＳ  ｂｌｏｃｋに関連付けられているＲＡＣＨリソース２で、プリアンブルを送信する。また、図５に示される例では、ＳＳ  ｂｕｒｓｔ  ｓｅｔに含まれる２番目のＳＳ  ｂｌｏｃｋは、ＲＡＣＨリソース１に関連付けられ、ＳＳ  ｂｕｒｓｔ  ｓｅｔに含まれる６番目のＳＳ  ｂｌｏｃｋは、ＲＡＣＨリソース３に関連付けられている。
【００５２】
ＮＲにおいて、あるＳＳ  ｂｌｏｃｋに、複数のＲＡＣＨリソースが関連付けられる場合があり、ユーザ装置２００は、複数のＲＡＣＨリソースから、使用するＲＡＣＨリソースを選択する。当該複数のＲＡＣＨリソースに対して、実施例１及び実施例２が適用されてもよい。
【００５３】
また、ＮＲにおいて、あるＲＡＣＨリソースが、複数の異なるＳＳ  ｂｌｏｃｋに関連付けられる場合もある。そのような場合も、ユーザ装置２００が利用可能である複数のＲＡＣＨリソースに対して、実施例１及び実施例２が適用されてもよい。
【００５４】
図６は、本発明の実施の形態におけるＳＳ  ｂｌｏｃｋに関連付けられた複数のＲＡＣＨリソースの一例を示す図である。図６に示されるように、あるビームに関連付けられている、ＳＳ  ｂｕｒｓｔ  ｓｅｔに含まれる４番目のＳＳ  ｂｌｏｃｋに、ＲＡＣＨリソース１、ＲＡＣＨリソース２及びＲＡＣＨリソース３が関連付けられている。図６において、図４と同様にＲＡＣＨリソース１及びＲＡＣＨリソース２にプリアンブルフォーマットＡ２が指定され、ＲＡＣＨリソース３にプリアンブルフォーマットＢ２が指定され、ＣＰ及びＧＰも図４と同様の配置であるとする。ここで、伝搬遅延を考慮したときの最大セル半径は、ＲＡＣＨリソースの後続リソースのＣＰ長（最後のＲＡＣＨリソースは後続のデータリソースのＣＰ長）と当該ＲＡＣＨリソースの末尾に配置されるＧＰ長を足し合わせた値によって決定される。各ＲＡＣＨリソースに対して上記の値を計算すると、ＲＡＣＨリソース１は５７６Ｔｓであり、ＲＡＣＨリソース２は３６０Ｔｓであり、ＲＡＣＨリソース３は（１６０＋２１６）＝３７６Ｔｓ、もしくは（１４４＋２１６）＝３６０Ｔｓ等である。すなわち、ＲＡＣＨリソース１が、最も大きな最大セル半径に対応可能である。
【００５５】
複数のＲＡＣＨリソースが使用可能である場合、ユーザ装置２００で計測したパスロス値に応じて、ユーザ装置２００は、ＲＡＣＨリソースを選択してもよい。計測する信号は、例えば、復号のための参照信号であってもよいし、ＮＲ−ＰＳＳ又はＮＲ−ＳＳＳのような同期信号であってもよい。例えば、パスロス値が、ＸｄＢより大きいとき、ＲＡＣＨリソース１を選択してもよい。また、例えば、パスロス値が、ＹｄＢより小さいとき、ＲＡＣＨリソース２又はＲＡＣＨリソース３を選択してもよい。上記のＸｄＢ及びＹｄＢは、予め定められた値でもよいし、報知情報、ＲＲＣ（Radio Resource Control）シグナリング又はＭＡＣ（Medium Access Control）レイヤのシグナリングによって、基地局装置１００からユーザ装置２００に通知されてもよい。
【００５６】
また、複数のＲＡＣＨリソースが使用可能である場合、セルに応じて、ユーザ装置２００は、ＲＡＣＨリソースを選択してもよい。例えば、セルａでは、ＲＡＣＨリソース１を選択し、セルｂでは、ＲＡＣＨリソース２を選択してもよい。セルａとセルｂは、セルＩＤ、セルの種類又はセルの報知情報等によって、ユーザ装置２００において判別されてもよい。
【００５７】
また、セル間の干渉を避けるために、隣接セルにおいては、同様のＲＡＣＨリソースを使用することを回避してもよい。例えば、隣接セル間で、同時にＲＡＣＨリソース１が使用されないように、あるセルでＲＡＣＨリソース１が選択される場合、当該セルの隣接セルではＲＡＣＨリソース２又はＲＡＣＨリソース３が選択されてもよい。
【００５８】
上述の実施例３において、ユーザ装置２００は、ＲＡＣＨリソースがＳＳ  ｂｌｏｃｋに関連付けられている場合であっても、複数のプリアンブルフォーマットを共通して指定するプリアンブルインデックスを通知することにより、個別にプリアンブルインデックスを通知する場合と比較して、シグナリングのオーバーヘッドを低減させることができる。
【００５９】
また、ユーザ装置２００は、パスロス値又はセルに応じて、ＲＡＣＨリソースを選択することができる。
【００６０】
（装置構成）
次に、これまでに説明した処理及び動作を実行する基地局装置１００及びユーザ装置２００の機能構成例を説明する。基地局装置１００及びユーザ装置２００はそれぞれ、少なくとも実施例１、２及び３を実施する機能を含む。ただし、基地局装置１００及びユーザ装置２００はそれぞれ、実施例１、２及び３の中の一部の機能のみを備えることとしてもよい。
【００６１】
＜基地局装置１００＞
図７は、基地局装置１００の機能構成の一例を示す図である。図７に示されるように、基地局装置１００は、送信部１１０と、受信部１２０と、設定情報管理部１３０と、初期アクセス情報設定部１４０とを有する。図７に示される機能構成は一例に過ぎない。本発明の実施の形態に係る動作を実行できるのであれば、機能区分及び機能部の名称はどのようなものでもよい。
【００６２】
送信部１１０は、ユーザ装置２００側に送信する信号を生成し、当該信号を無線で送信する機能を含む。受信部１２０は、ユーザ装置２００から送信された各種の信号を受信し、受信した信号から、例えばより上位のレイヤの情報を取得する機能を含む。また、送信部１１０は、ユーザ装置２００へＮＲ−ＰＳＳ、ＮＲ−ＳＳＳ、ＮＲ−ＰＢＣＨ、ＤＬ／ＵＬ制御信号等を送信する機能を有する。また、送信部１１０は、ユーザ装置２００に同期信号及びシステム情報を送信し、受信部１２０は、ユーザ装置２００からプリアンブル及び初期アクセスに係るメッセージ等を受信する。
【００６３】
設定情報管理部１３０は、予め設定される設定情報、及び、ユーザ装置２００に送信する各種の設定情報を格納する。設定情報の内容は、例えば、初期アクセスに使用するシステム情報等である。
【００６４】
初期アクセス情報設定部１４０は、実施例１、２及び３において説明した、基地局装置１００におけるユーザ装置２００への同期信号及び初期アクセスに使用する情報を含むシステム情報の送信に係る制御、及びユーザ装置２００からの初期アクセスに係る制御を行う。
【００６５】
＜ユーザ装置２００＞
図８は、ユーザ装置２００の機能構成の一例を示す図である。図８に示されるように、ユーザ装置２００は、送信部２１０と、受信部２２０と、設定情報管理部２３０と、初期アクセス制御部２４０とを有する。図８に示される機能構成は一例に過ぎない。本発明の実施の形態に係る動作を実行できるのであれば、機能区分及び機能部の名称はどのようなものでもよい。
【００６６】
送信部２１０は、送信データから送信信号を作成し、当該送信信号を無線で送信する。受信部２２０は、各種の信号を無線受信し、受信した物理レイヤの信号からより上位のレイヤの信号を取得する。また、受信部２２０は、基地局装置１００から送信されるＮＲ−ＰＳＳ、ＮＲ−ＳＳＳ、ＮＲ−ＰＢＣＨ、ＤＬ／ＵＬ制御信号等を受信する機能を有する。また、送信部２１０は、基地局装置１００にプリアンブル及び初期アクセスに係るメッセージ等を送信し、受信部１２０は、基地局装置１００から同期信号及びシステム情報を受信する。
【００６７】
設定情報管理部２３０は、受信部２２０により基地局装置１００から受信した各種の設定情報を格納する。また、設定情報管理部２３０は、予め設定される設定情報も格納する。設定情報の内容は、例えば、プリアンブルフォーマット等の初期アクセスに係る情報である。
【００６８】
初期アクセス制御部２４０は、実施例１、２及び３において説明した、ユーザ装置２００における初期アクセスに係る制御を行う。なお、初期アクセス制御部２４０におけるプリアンブル信号送信等に関する機能部を送信部２１０に含め、初期アクセス制御部２４０におけるシステム情報受信等に関する機能部を受信部２２０に含めてもよい。
【００６９】
（ハードウェア構成）
上述の本発明の実施の形態の説明に用いた機能構成図（図７及び図８）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００７０】
また、例えば、本発明の一実施の形態における基地局装置１００及びユーザ装置２００はいずれも、本発明の実施の形態に係る処理を行うコンピュータとして機能してもよい。図９は、本発明の実施の形態に係る基地局装置１００又はユーザ装置２００である無線通信装置のハードウェア構成の一例を示す図である。上述の基地局装置１００及びユーザ装置２００はそれぞれ、物理的には、プロセッサ１００１、記憶装置１００２、補助記憶装置１００３、通信装置１００４、入力装置１００５、出力装置１００６、バス１００７などを含むコンピュータ装置として構成されてもよい。
【００７１】
なお、以下の説明では、「装置」という文言は、回路、デバイス、ユニットなどに読み替えることができる。基地局装置１００及びユーザ装置２００のハードウェア構成は、図に示した１００１〜１００６で示される各装置を１つ又は複数含むように構成されてもよいし、一部の装置を含まずに構成されてもよい。
【００７２】
基地局装置１００及びユーザ装置２００における各機能は、プロセッサ１００１、記憶装置１００２などのハードウェア上に所定のソフトウェア（プログラム）を読み込ませることで、プロセッサ１００１が演算を行い、通信装置１００４による通信、記憶装置１００２及び補助記憶装置１００３におけるデータの読み出し及び／又は書き込みを制御することで実現される。
【００７３】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。
【００７４】
また、プロセッサ１００１は、プログラム（プログラムコード）、ソフトウェアモジュール又はデータを、補助記憶装置１００３及び／又は通信装置１００４から記憶装置１００２に読み出し、これらに従って各種の処理を実行する。プログラムとしては、上述の実施の形態で説明した動作の少なくとも一部をコンピュータに実行させるプログラムが用いられる。例えば、図７に示した基地局装置１００の送信部１１０、受信部１２０、設定情報管理部１３０、初期アクセス情報設定部１４０は、記憶装置１００２に格納され、プロセッサ１００１で動作する制御プログラムによって実現されてもよい。また、例えば、図８に示したユーザ装置２００の送信部２１０と、受信部２２０と、設定情報管理部２３０、初期アクセス制御部２４０は、記憶装置１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００７５】
記憶装置１００２は、コンピュータ読み取り可能な記録媒体であり、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）などの少なくとも１つで構成されてもよい。記憶装置１００２は、レジスタ、キャッシュ、メインメモリ（主記憶装置）などと呼ばれてもよい。記憶装置１００２は、本発明の一実施の形態に係る処理を実施するために実行可能なプログラム（プログラムコード）、ソフトウェアモジュールなどを保存することができる。
【００７６】
補助記憶装置１００３は、コンピュータ読み取り可能な記録媒体であり、例えば、ＣＤ−ＲＯＭ（Compact Disc ROM）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。補助記憶装置１００３は、補助記憶装置と呼ばれてもよい。上述の記憶媒体は、例えば、記憶装置１００２及び／又は補助記憶装置１００３を含むデータベース、サーバその他の適切な媒体であってもよい。
【００７７】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、基地局装置１００の送信部１１０及び受信部１２０は、通信装置１００４で実現されてもよい。また、ユーザ装置２００の送信部２１０及び受信部２２０は、通信装置１００４で実現されてもよい。
【００７８】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【００７９】
また、プロセッサ１００１及び記憶装置１００２などの各装置は、情報を通信するためのバス１００７で接続される。バス１００７は、単一のバスで構成されてもよいし、装置間で異なるバスで構成されてもよい。
【００８０】
また、基地局装置１００及びユーザ装置２００はそれぞれ、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００８１】
（実施の形態のまとめ）
以上、説明したように、本発明の実施の形態によれば、基地局装置と通信を行うユーザ装置であって、初期アクセスに使用する情報を前記基地局装置から受信する受信部と、前記初期アクセスに使用する情報に含まれるインデックスに基づいて、複数のプリアンブルフォーマットを決定し、前記初期アクセスに使用する情報に基づいて、１又は複数のリソースを決定する制御部と、前記プリアンブルフォーマット及び前記リソースを用いてプリアンブルを前記基地局装置に送信する送信部とを有するユーザ装置が提供される。
【００８２】
上記の構成により、ユーザ装置は、初期アクセスに必要な情報の通知に係るオーバーヘッドを低減して、ユーザ装置と基地局装置との間で効率の良い初期アクセスを実現することができる。
【００８３】
前記１又は複数のリソースそれぞれに、前記プリアンブルフォーマットが指定されてもよい。当該構成により、初期アクセスに必要な情報の通知に要する情報量を削減することができる。
【００８４】
前記１又は複数のリソースのうち、時間軸で最後のリソースに指定される前記プリアンブルフォーマットは、ガードピリオドを有してもよい。当該構成により、プリアンブルの末尾にＧＰを確保する処理が不要となる。
【００８５】
前記通信に使用される無線信号のサブキャリア間隔又は周波数帯に基づいて、前記リソースに前記プリアンブルフォーマットが指定されてもよい。当該構成により、サブキャリア間隔又は周波数帯の無線特性により適合するプリアンブルフォーマットを使用することができる。
【００８６】
前記複数のリソースは、前記基地局装置が送信する複数のビームのうちのひとつのビームに関連付けられ、前記ひとつのビームのパスロス値に基づいて、前記複数のリソースからプリアンブルを送信するリソースが決定されてもよい。当該構成により、パスロス値に応じて、使用するＲＡＣＨリソースを選択することができる。
【００８７】
ユーザ装置と通信を行う基地局装置であって、初期アクセスに使用する情報を前記ユーザ装置に送信する送信部と、複数のプリアンブルフォーマットを示すインデックスを前記初期アクセスに使用する情報に設定し、１又は複数のリソースを示す情報を前記初期アクセスに使用する情報に設定する設定部と、前記プリアンブルフォーマット及びリソースを用いてプリアンブルを前記ユーザ装置から受信する受信部とを有する基地局装置が提供される。
【００８８】
上記の構成により、基地局装置は、初期アクセスに必要な情報の通知に係るオーバーヘッドを低減して、ユーザ装置と基地局装置との間で効率の良い初期アクセスを実現することができる。
【００８９】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、基地局装置１００及びユーザ装置２００は機能的なブロック図を用いて説明されたが、そのような装置はハードウェアで、ソフトウェアで又はそれらの組み合わせで実現されてもよい。本発明の実施の形態に従って基地局装置１００が有するプロセッサにより動作するソフトウェア及び本発明の実施の形態に従ってユーザ装置２００が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００９０】
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、ブロードキャスト情報（ＭＩＢ（Master Information Block）、ＳＩＢ（System Information Block））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００９１】
本明細書で説明した各態様／実施形態は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００９２】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００９３】
本明細書において基地局装置１００によって行われるとした特定動作は、場合によってはその上位ノード（upper node）によって行われることもある。基地局装置１００装置を有する１つ又は複数のネットワークノード（network nodes）からなるネットワークにおいて、ユーザ装置２００との通信のために行われる様々な動作は、基地局装置１００及び／又は基地局装置１００以外の他のネットワークノード（例えば、ＭＭＥ又はＳ−ＧＷなどが考えられるが、これらに限られない）によって行われ得ることは明らかである。上記において基地局装置１００以外の他のネットワークノードが１つである場合を例示したが、複数の他のネットワークノードの組み合わせ（例えば、ＭＭＥ及びＳ−ＧＷ）であってもよい。
【００９４】
本明細書で説明した各態様／実施形態は単独で用いてもよいし、組み合わせて用いてもよいし、実行に伴って切り替えて用いてもよい。
【００９５】
ユーザ装置２００は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【００９６】
基地局装置１００は、当業者によって、ＮＢ（NodeB）、ｅＮＢ（enhanced NodeB）、ｇＮＢ、ベースステーション（Base Station）、又はいくつかの他の適切な用語で呼ばれる場合もある。
【００９７】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking up）（例えば、テーブル、データベース又は別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。
【００９８】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９９】
「含む（include）」、「含んでいる（including）」、及びそれらの変形が、本明細書あるいは特許請求の範囲で使用されている限り、これら用語は、用語「備える（comprising）」と同様に、包括的であることが意図される。さらに、本明細書あるいは特許請求の範囲において使用されている用語「又は（or）」は、排他的論理和ではないことが意図される。
【０１００】
本開示の全体において、例えば、英語でのａ、ａｎ及びｔｈｅのように、翻訳により冠詞が追加された場合、これらの冠詞は、文脈から明らかにそうではないことが示されていなければ、複数のものを含み得る。
【０１０１】
なお、本発明の実施の形態において、初期アクセス制御部２４０は、制御部の一例である。初期アクセス情報設定部１４０は、設定部の一例である。
【０１０２】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１０３】
１００      基地局装置
２００      ユーザ装置
１１０      送信部
１２０      受信部
１３０      設定情報管理部
１４０      初期アクセス情報設定部
２００      ユーザ装置
２１０      送信部
２２０      受信部
２３０      設定情報管理部
２４０      初期アクセス制御部
１００１    プロセッサ
１００２    記憶装置
１００３    補助記憶装置
１００４    通信装置
１００５    入力装置
１００６    出力装置
【図１】
2019030873.tif 000003
【図２】
2019030873.tif 000004
【図３】
2019030873.tif 000005
【図４】
2019030873.tif 000006
【図５】
2019030873.tif 000007
【図６】
2019030873.tif 000008
【図７】
2019030873.tif 000009
【図８】
2019030873.tif 000010
【図９】
2019030873.tif 000011
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
ランダムアクセスに関する情報を受信する受信部と、
前記ランダムアクセスに関する情報に基づいて、第１のプリアンブルフォーマット、第２のプリアンブルフォーマット及びランダムアクセスチャネルのリソースを特定する制御部と、
前記ランダムアクセスチャネルのリソースを用いてランダムアクセスプリアンブルを送信する送信部を有し、
前記送信部は、前記ランダムアクセスチャネルのリソースのうち、時間領域で最後のリソース及び前記第２のプリアンブルフォーマットを用いてランダムアクセスプリアンブルを送信し、時間領域で最後のリソース以外のリソース及び前記第１のプリアンブルフォーマットを用いてランダムアクセスプリアンブルを送信する、
ユーザ装置。
【請求項２】
前記制御部は、前記ランダムアクセスに関する情報に基づいて、前記ランダムアクセスチャネルのリソースそれぞれに対するプリアンブルフォーマットを特定する、
請求項１記載のユーザ装置。
【請求項３】
前記ランダムアクセスチャネルのリソースのうち、時間領域で最後のリソースを用いて送信するランダムアクセスプリアンブルのプリアンブルフォーマットは、末尾にプリアンブルが送信されない期間を有する、
請求項１又は２記載のユーザ装置。
【請求項４】
前記制御部は、前記ランダムアクセスプリアンブルの送信に用いる周波数帯に基づいて、前記第１のプリアンブルフォーマット及び第２のプリアンブルフォーマットを特定する、
請求項１乃至３いずれか一項記載のユーザ装置。
【請求項５】
前記受信部は、ＳＳブロックを用いて同期信号を受信し、
前記ランダムアクセスチャネルのリソースは、前記ＳＳブロックに施されたビームに関連付けられ、
前記制御部は、前記ビームのパスロス値に基づいて、前記ランダムアクセスチャネルのリソースを決定する、
請求項１乃至４いずれか一項記載のユーザ装置。
【請求項６】
前記受信部は、物理下りリンク共有チャネル（ＰＤＳＣＨ：Physical Downlink Shared CHannel）を用いて、前記ランダムアクセスに関する情報を受信する、請求項１乃至５いずれか１項に記載のユーザ装置。
【請求項７】
前記受信部は、システム情報を用いて、前記ランダムアクセスに関する情報を受信する、請求項１乃至５いずれか一項記載のユーザ装置。
【請求項８】
第１のプリアンブルフォーマット、第２のプリアンブルフォーマット及びランダムアクセスチャネルのリソースに基づいて、ランダムアクセスに関する情報に設定する制御部と、
前記ランダムアクセスに関する情報を送信する送信部と、
前記ランダムアクセスチャネルのリソースに基づいて、ランダムアクセスプリアンブルを受信する受信部と、を有し、
前記受信部は、前記ランダムアクセスチャネルのリソースのうち、時間領域で最後のリソースにおいて、前記第２のプリアンブルフォーマットに基づいてランダムアクセスプリアンブルを受信し、時間領域で最後のリソース以外のリソースにおいて、前記第１のプリアンブルフォーマットに基づいてランダムアクセスプリアンブルを受信する、基地局装置。
【請求項９】
ランダムアクセスに関する情報を受信する受信手順と、
前記ランダムアクセスに関する情報に基づいて、第１のプリアンブルフォーマット、第２のプリアンブルフォーマット及びランダムアクセスチャネルのリソースを特定する制御手順と、
前記ランダムアクセスチャネルのリソースを用いてランダムアクセスプリアンブルを送信する送信手順とを有し、
前記送信手順は、前記ランダムアクセスチャネルのリソースのうち、時間領域で最後のリソース及び前記第２のプリアンブルフォーマットを用いてランダムアクセスプリアンブルを送信し、時間領域で最後のリソース以外のリソース及び前記第１のプリアンブルフォーマットを用いてランダムアクセスプリアンブルを送信する手順を含む通信方法。
【国際調査報告】
2019030873.tif 000012
2019030873.tif 000013
2019030873.tif 000014
2019030873.tif 000015